(57)【要約】      （修正有）【課題】高い曲げ剛性を有するプラスチック傘骨から成り、また、丈夫で取り扱い易いプラスチック傘骨から成る折り畳み式傘を提供する。【解決手段】高い曲げ剛性を有するプラスチックから成る折り畳み傘であって、上ロクロ１２と下ロクロ１３の外周に夫々放射状に形成した受骨の軸支のための一方の軸受部と、上記軸受部に軸承する内骨の端部と受骨の端部には形成した夫々高い曲げ剛性を有するプラスチックからなる他方の軸受部とを具備して構成される。上ロクロ１２は、中軸に沿って下方に延出した嵌合部２１を有し、下ロクロ１３は、中軸に沿って上方に延出した嵌合相手部２２を有し、上記嵌合部と嵌合相手部が開傘時に相互に嵌合可能である。【選択図】図３
0003177633.tif 000002
【実用新案登録請求の範囲】
【請求項１】
高い曲げ剛性を有するプラスチックから成り、上ロクロに一端を軸支し中骨に他端を軸支した内骨と、上記中骨に一端を軸支した外骨から成る親骨と、下ロクロに一端にて軸支し他端を上記内骨に軸支した受骨と、傘の開閉時に受骨の開閉力を内骨に伝える内側リンク及び内骨の開閉力を外骨に伝える外側リンクを具備し、開傘時に中軸に設けたハジキに下ロクロを係合させる折り畳み傘であって、
上ロクロと下ロクロの外周に夫々放射状に形成した受骨の軸支のための一方の軸受部と、上記軸受部に軸承する内骨の端部と受骨の端部には形成した夫々高い曲げ剛性を有するプラスチックからなる他方の軸受部とを具備して構成された
プラスチック傘骨から成る折り畳み傘。
【請求項２】
上ロクロは、中軸に沿って下方に延出した嵌合部を有し、下ロクロは、中軸に沿って上方に延出した嵌合相手部を有し、上記嵌合部と嵌合相手部が開傘時に相互に嵌合する
請求項１記載のプラスチック傘骨から成る折り畳み傘。
【請求項３】
開傘時に、中軸の上部に設けたハジキに下ロクロを係合させ、閉傘時に、下ロクロと係合したハジキを加圧するために、平坦な押し面を有する加圧片を下ロクロに設けて成る
請求項１記載のプラスチック傘骨から成る折り畳み傘。
【考案の詳細な説明】
【技術分野】
【０００１】
本考案は、高い曲げ剛性を有するプラスチックから成る折り畳み傘の改良に関するものである。
【背景技術】
【０００２】
従来の傘骨は、金属材料から成るものが主流を占めており、その金属製傘骨を夫々の端部にてロクロ等に取り付けるには金属製のワイヤーを用いるので、仕上げの際にワイヤーを結ぶ作業が必要で手数が掛かるという問題がある。また、金属製の傘骨と受骨は金属製の止めピンを用いて結合しており、傘骨には鉄製品が用いられ、止めピンには銅製品が多く用いられる。しかし、銅製の止めピンを用いる製造工程は複雑で時間が掛かり、錆びや腐食を起し易いという問題がある。
【０００３】
また、従来の金属製傘骨は一様な形状と構造を持ち、従って、強度も一定である。このため、強風にあおられると、剛性不足により容易に変形し、所謂お猪口の状態になり易いという問題がある。変形の程度によっては原形に近い形状に復することも可能であるが、元通りに直すことは困難であり、変形、曲げ戻しを繰り返すと折損し、やがて傘として使用することもできなくなる。
【考案の開示】
【考案が解決しようとする課題】
【０００４】
本考案は前記の実情に鑑みてなされたもので、その課題は、高い曲げ剛性を有するプラスチック傘骨から成る折り畳み傘を提供することである。また、本考案の他の課題は、丈夫で取り扱い易いプラスチック傘骨から成る折り畳み式傘を提供することである。
【課題を解決するための手段】
【０００５】
前記の課題を解決するため、本考案は、高い曲げ剛性を有するプラスチックから成り、上ロクロに一端を軸支し中骨に他端を軸支した内骨と、上記中骨に一端を軸支した外骨から成る親骨と、下ロクロに一端にて軸支し他端を上記内骨に軸支した受骨と、傘の開閉時に受骨の開閉力を内骨に伝達する内側リンク及び内骨の開閉力を外骨に伝える外側リンクを具備し、開傘時に中軸に設けたハジキに下ロクロを係合させる折り畳み傘について、上ロクロと下ロクロの外周に夫々放射状に形成した受骨の軸支のための一方の軸受部と、上記軸受部に軸承する内骨の端部と受骨の端部には形成した夫々高い曲げ剛性を有するプラスチックからなる他方の軸受部とを具備して構成するという手段を講じたものである。
【０００６】
上記考案の構成における前段の要件は、内骨と、中骨と、外骨とによって親骨が構成されていること、親骨は上ロクロに軸支し、下ロクロに軸支した受骨によって支えられていること、そして傘の開閉時に開閉力を受骨から内骨に内側リンクにより伝え、かつ、内骨の開閉力を外側リンクにより外骨に伝えるという、本考案の折り畳み傘の基本的構成を述べている。この基本的構成は従来のものと同様で良い。
【０００７】
折り畳み傘の開傘時には、中軸に設けたハジキに下ロクロを係合させるが、これによって折り畳み傘は開いた状態に保たれる。ハジキに下ロクロを係合させる構成は従来のものと同様で良い。傘骨を形成するプラスチックとしては、例えば、ポリアセタール系のエンジニアリングプラスチック、特に、ポリオキシメチレン（ＰＯＭ）の類を挙げることができ、また、他にポリカーボネート（ＰＣ）、ポリプロピレン（ＰＰ）、ポリエチレンの類も用いられる。上記は単なる例示であるが、再生利用の可能なプラスチック材料を使用することが望ましい。
【０００８】
本考案の特徴は、上ロクロと下ロクロの外周に夫々放射状に形成した受骨の軸支のための一方の軸受部と、上記軸受部に軸承する内骨の端部と受骨の端部には形成した夫々高い曲げ剛性を有するプラスチックからなる他方の軸受部とを具備して構成するという手段にある。軸受部は、軸とそれを支える（軸承する）部分とから成り、軸は一方の軸受部、軸承する部分は他方の軸受部に相当する。軸受部には、特に剛性の高いプラスチック材料を用いる。
【０００９】
その構成において、上ロクロは、中軸に沿って下方に延出した嵌合部を有し、下ロクロは、中軸に沿って上方に延出した嵌合相手部を有し、上記嵌合部と嵌合相手部が開傘時に相互に嵌合するという構成を取り得る。嵌合部と嵌合相手部が開傘時に相互に嵌合することにより、下ロクロが安定し傘骨全体の剛性も向上する。
【００１０】
また、開傘時に、中軸の上部に設けたハジキに下ロクロを係合させるとともに、閉傘時に、下ロクロと係合したハジキを加圧するために、平坦な押し面を有する加圧片を下ロクロに設けると良い。ハジキは金属板より成るので指で直接押し込むことを繰り返すと痛みを感じることもあるが、加圧片を介してハジキを押し込むことにより、傘を開閉する際の操作はより容易になる。
【考案の効果】
【００１１】
本考案は以上のように、高い曲げ剛性を有するプラスチック傘骨から成る折り畳み傘を提供するものである。また、本考案によれば、金属腐食が起こらないので丈夫であり、かつまた、開傘時に下ロクロが安定し、傘骨全体の剛性も向上するとともに、ハジキを加圧する加圧片を有するので、取り扱い易いプラスチック傘骨から成る折り畳み式傘を提供することができる。
【考案を実施するための最良の形態】
【００１２】
以下図示の実施形態を参照して本考案をより詳細に説明する。図１は本考案に係るプラスチック傘骨から成る折り畳み傘１０の骨組を示しており、それは中軸１１の上部に取り付けた上ロクロ１２と中軸１１に上下動可能に設けた下ロクロ１３を有している。上記骨組みには最終的に傘布が張られ傘となる。
【００１３】
上ロクロ１２には、親骨２０を構成する内骨１４の一端１４ａを軸支し、その他端１４ｂは中骨１５の他端よりやや引っ込んだ位置にある引っ込み軸受１５ｃに軸支している。同じく親骨２０を構成する外骨１６は、上記中骨１５の他端１５ｂと外骨１６の一端１６ａよりやや引っ込んだ位置にある引っ込み軸受１６ｃに軸支している。また、下ロクロ１３に一端１７ａにて軸支した受骨１７は、他端１７ｂを上記内骨１４の中間１４ｄに軸支している（図２参照）。
【００１４】
さらに、傘の開閉時に、受骨１７の開閉力を内骨１４に伝える内側リンク１８は、一端１８ａを受骨１７の他端よりやや引っ込んだ位置にある引っ込み軸受１７ｃに軸支し、他端１８ｂを中骨１５の他端１５ａに軸支している。また、内骨１４の開閉力を外骨１６に伝える外側リンク１９は、一端１９ａを内骨１４の他端よりやや引っ込んだ位置にある引っ込み軸受１４ｃに軸支し、他端１９ｂを外骨１６の一端１６ａに軸支している。なお、符号１５ｄはリンク押さえであり、外側リンク１９のガイドとして設けられている。
【００１５】
軸受部を構成する、内骨１４の一端１４ａと他端１４ｂ、中骨１５の他端１５ｂ、外骨１６の一端１６ａ、受軸１７の一端１７ａと他端１７ｂ、内側リンク１８の一端１８ａと他端１８ｂ、外側リンク１９の一端１９ａは突出した軸から成る。また、内骨１４の引っ込み軸受１４ｃ、中骨１５の一端１５ａと引っ込み軸受１５ｃ、外骨１６の一端１６ａの引っ込み軸受１６ｃ、内骨１４の引っ込み軸受１４ｃ、外側リンク１９の他端１９ｂは前記突出した軸が軸承される部分であり、これらには、特に、剛性の高いプラスチック材料を用いる。例えば、親骨２０にはポリオキシメチレン（ＰＯＭ）、繊維強化プラスチック（ＦＲＰ）等を用いることができる。また、軸受部分にはポリカーボネート（ＰＣ）等が用いられる。
【００１６】
上記内骨１４の一端１４ａを上ロクロ１２の溝部１２ａへ嵌め込んで軸承し、受骨１７は一端１７ａを下ロクロ１３の溝部１３ａへ嵌め込んで軸承し、他端１７ｂを内骨１４の中間１４ｄと軸承させ、内骨１４の他端１４ｂと中骨１５の引っ込み軸受１５ｃを軸承させ、中骨１５の他端１５ｂと外骨１６の引っ込み軸受１６ｃを軸承させている。また、内側リンク１８は一端１８ａを受けリンク１７の引っ込み軸受１７ｃと軸承させ、他端１８ｂを中骨１５の一端１５ａと軸承させ、さらに、外側リンク１９は一端１９ａを内骨１４の引っ込み軸受１４ｃと軸承させ、他端１９ｂを外骨１６の一端１６ａと軸承させてい
る。上記内側リンク１８は受骨１７の開閉力を内骨１４に伝え、外側リンク１９は内骨
１４の開閉力を外骨１６に伝えるほぼ平行のリンクを構成する。
【００１７】
上ロクロ１２は、中軸１１に沿って下方に延出した嵌合部２１を有し、下ロクロ１３には、中軸１１に沿って上方に延出した嵌合相手部２２が設けられ、両部２１、２２は雌雄嵌合構造を構成している。嵌合部２１は下方に向けたテーパー形状部分を有し、嵌合相手部２２との嵌め込みが自動的に誘導されるようになっている（図２、図５参照）。
【００１８】
開傘操作により下ロクロ１３を中軸１１に沿って上ロクロ１２の方向へ上昇させると、下ロクロ１３はその下端側に形成した係合部２４と中軸１１の上部に設けたハジキ２３とが係合し、開傘状態を保持する。このときハジキ２３のやや上位、かつ、１８０度反対側に設けたバネ２６は下ロクロ１３の筒状部内壁を圧迫し、ガタツキが吸収される。
【００１９】
本考案では、閉傘時に、下ロクロ１３と係合したハジキ２３を加圧するために、平坦な押し面を有する加圧片２５を下ロクロに設けている。上記加圧片２５は下ロクロ１３の下部に延出し、中軸１１に沿って一体に摺動可能な筒型操作部２７の周壁部に設けられている。特に図示の加圧片２５は、筒型操作部２７の周壁部から外方へ僅かに離れた位置に、下部で一体となり、上部は切欠いた構造とし、内方へ押し込むことで弾性変形可能なように設けられている。符号２８は上ロクロ蓋、２９は下ロクロ蓋、３０はハンドルを夫々示す。
【００２０】
本考案のプラスチック傘骨から成る折り畳み傘１０はこのように構成されているものであるから、中軸１１が金属製である以外は全てがプラスチックを材料として形成されている。傘骨は柔軟性があり、高い曲げ剛性を有するプラスチックを素材として各部材及び骨組みを構成することで、丈夫な折り畳み傘が得られる。また、開傘時に相互に嵌合する嵌合部２１と嵌合相手部２２は操作に安定性をもたらし、使用時の傘の剛性が向上し、さらには、平坦な押し面を有する加圧片２５によりハジキを加圧するために操作性が著しく向上する。
【図面の簡単な説明】
【００２１】
【図１】本考案に係るプラスチック傘骨から成る折り畳み傘の一部を省略して示す骨組みの部分正面図である。
【図２】同上における親骨とリンク構成を示す分解斜視図である。
【図３】同上における骨組みの一部を示す斜視図である。
【図４】同じく下ロクロと中軸の構成を示す分解斜視図である。
【図５】同じく上下のロクロと関連する構成との関係を示す部分説明図である。
【符号の説明】
【００２２】
１０  折り畳み傘
１１  中軸
１２  上ロクロ
１３  下ロクロ
１４  内骨
１５  中骨
１６  外骨
１７  受骨
１８  内側リンク
１９  外側リンク
２０  親骨
２１  嵌合部
２２  嵌合相手部
２３  ハジキ
２４  係合部
２５  加圧片
２６  バネ
２７  筒型操作部
２８  下ロクロ蓋
２９  上ロクロ蓋
３０  ハンドル
【図１】
0003177633.tif 000003
【図２】
0003177633.tif 000004
【図３】
0003177633.tif 000005
【図４】
0003177633.tif 000006
【図５】
0003177633.tif 000007